(57)【要約】【課題】ブラジャーによる胸のしめつけ具合の調節を容易にする。【解決手段】  第１の要素と、第２の要素と、前記第２の要素に対する前記第１の要素の動作を制限するための固定手段と、を含み、第１の面と第２の面とを解放可能に接続するための正面固定型ブラジャーへの使用に適合した調整可能なファスナーであって、前記第１の要素は、該第１の要素を前記第２の要素に固定するための第１の固定手段と、前記第１の面へ前記第１の要素を付けるための第１のアタッチメント手段と、を含み、前記第２の要素は、第２の要素ベースと、前記第２の要素を前記第１の要素に固定するための前記第２の要素ベースの面に配置された、複数の第２の固定手段と、前記第２の面へ前記第２の要素を付けるための第２のアタッチメント手段と、を含み、各々の前記複数の第２の固定手段は、前記第１の固定手段に連結可能であることを特徴とする調整可能なファスナー。【選択図】図１
2008504074.tif 000002
【特許請求の範囲】
【請求項１】
第１の要素と、第２の要素と、前記第２の要素に対する前記第１の要素の動作を制限するための固定手段と、を含み、第１の面と第２の面とを解放可能に接続するための正面固定型ブラジャーへの使用に適合した調整可能なファスナーであって、
前記第１の要素は、該第１の要素を前記第２の要素に固定するための第１の固定手段と、前記第１の面へ前記第１の要素を付けるための第１のアタッチメント手段と、を含み、
前記第２の要素は、第２の要素ベースと、前記第２の要素を前記第１の要素に固定するための前記第２の要素ベースの面に配置された、複数の第２の固定手段と、前記第２の面へ前記第２の要素を付けるための第２のアタッチメント手段と、を含み、
各々の前記複数の第２の固定手段は、前記第１の固定手段に連結可能であることを特徴とする調整可能なファスナー。
【請求項２】
前記調整可能なファスナーにおいて、
前記第１の固定手段は、円柱状の柱部を含み、
前記複数の第２の固定手段は、各々前記柱部を収容することができる複数のバレルを含むことを特徴とする請求項１記載の調整可能なファスナー。
【請求項３】
前記柱部は、その長さの一部に沿って、前記柱部のそれ未満の高さを持っているプレートの端に固定され、
各々の前記バレルは、前記プレートの高さより大きな間隔によって分離された上部のバレルセクション及び下部のバレルセクションを含み、
各々の前記下部のバレルセクションは、前記プレートの厚さを提供するために十分な広さを有し、その壁から縦に切断された形状の口径を備え、
それによって、前記柱部が前記バレルのうちの１つに挿入された場合に、前記プレートが前記口径を完全に通過し、前記柱部がその円柱状の軸周りに前記バレルに対して回転する場合、前記上部のバレルセクションと前記下部のバレルセクションの間のスペース内を自由に移動することを特徴とする請求項２記載の調整可能なファスナー。
【請求項４】
前記固定手段は、
前記プレートよりも大きな高さを有し、前記柱部が固定された前記プレートの端部の反対側かつ平行する側の端部に、縦方向に固定された棒と、
一方が各々の前記上部のバレルセクションの外壁に配置され、他方が各々の前記下部のバレルセクションの外壁に配置された、複数の突出部と、を含み、
前記プレートの幅は、前記突出部が存在しない箇所における各々の前記上部のバレルセクション及び各々の前記下部のバレルセクションの壁の厚さよりもわずかに大きく、かつ、前記突出部が配置される箇所における各々の前記上部のバレルセクション及び各々の前記下部のバレルセクションの壁の厚さにわずかに満たない幅を有し、
これにより、前記突出部は、前記柱部の円柱状の軸に対する前記棒の回動を、前記プレートが前記下部のバレルセクションのうちの１つの前記口径と整列する位置と、前記プレートが前記第２の要素ベースと接触する位置との間で阻止することなしに、抑制する
ことを特徴とする請求項３記載の調整可能なファスナー。
【請求項５】
前記第１の要素は、各々の前記バレルの前記上部のバレルセクションと前記下部のバレルセクションとの間隔に満たない高さを有し、前記プレートが決められる前記棒の端の反対側の前記棒の端に縦に固定された、第１の要素ベースを含み、
前記第１のアタッチメント手段は、前記棒に固定される前記第１の要素ベースの端の反対の前記第１の要素ベースの端に接続された第１の輪を含み、
前記第２のアタッチメント手段は、前記第１の要素及び前記第２の要素が固定され安定になる時、前記第１の輪から最も遠くに位置した前記第２の要素ベースの端に接続された第２のリングを含むことを特徴とする請求項４記載の調整可能なファスナー。
【請求項６】
前記第１の固定手段は、第１の磁気表面がある第１の磁石を含み、
前記複数の第２の固定手段は、複数の第２の磁石を各々含む、それぞれは、前記第１の磁気表面とは磁荷が反対である第２の磁気表面を有していることを特徴とする請求項１記載の調整可能なファスナー。
【請求項７】
前記第１の要素は、第１の固定面を有する第１の要素ベースをさらに含み、
前記第１の磁気表面が、前記第１の固定面と同じ平面上に位置するように、前記第１の磁石は前記第１の要素ベースに埋め込まれ、
各々の前記第２の磁石は、直線上に整列し、前記第２の要素ベースに埋め込まれており、各々の前記第２の磁石の前記第２の磁気表面は、前記第２の要素ベースの前記面と同じ平面上に位置することを特徴とする請求項６記載の調整可能なファスナー。
【請求項８】
前記第１のアタッチメント手段は、前記第１の磁石から最も離れた前記第１の要素ベースの端に配置され、
前記第２のアタッチメント手段は、前記第２の磁石の前記直線配置の一端にある前記第２の要素ベースの端に配置されることを特徴とする請求項７記載の調整可能なファスナー。
【請求項９】
前記固定手段は、固定され、前記第２の要素ベースの前記面から垂直に突出する一対のホックを有し、前記一対のホックは、前記第２のアタッチメント手段から最も離れた位置に配置される前記複数の第２のマグネットのうち一つの反対側の端に配置され、各一対のホックは、前記第２のアタッチメント手段が配置される前記第２の要素ベースの端の方向に向かう角部を有しており、
複数組のキャッチ部を有し、この複数組のキャッチ部は、前記第２の要素ベースに埋め込まれた第２の磁石の数に等しく、各複数組のキャッチ部は、固定され、前記第１の要素ベースの前記反対側の面端から突出しており、前記面端は前記第１のアタッチメント手段が配置される前記端に垂直であり、
前記複数組のキャッチ部の一つは、前記第１のアタッチメント手段から最も離れた前記反対側の面端の端に配置されており、
前記キャッチ部の一つは、角部隣接部を有しており、前記第１の要素ベースの端に平行であり、
前記角部はそれぞれ、前記第１の固定面と同じ面に配置される面を有しており、
前記第１のアタッチメント手段は、前記第１の要素ベースの端の方向に向かう角前記角部に配置され、
一対のコブは、前記第１のアタッチメント手段に最も接近した前記反対側の面端の端部に配置され,
前記第１のアタッチメント手段が配置される前記複数の第２の磁石の１つの反対の横に配置された、前記第２の付属手段から最も遠くに位置した、各々の前記ペアのホックに角のある部分があること、前記第２の要素ベースの端の方向に指示され、前記第２の付属手段が配置され、
複数のペアのキャッチ部、前記第２の要素ベースに埋め込まれていた第２の磁石の数と等しく、各々の前記ペアのキャッチ部に固定し、前記第１の要素ベースの反対の面する端から突出しており、端に垂直であり、前記第１の付属手段が配置されるか、前記ペアのキャッチ部のうちの１つは端で配置された端に前記第１の付属手段から最も遠くに面すること及び前記ことの端に隣接していて、それが固定される要素ベース、前記第１の固定する面と同じ平面にある角面、及び、前記第１の付属手段が配置される前記第１の要素ベースの端の方向にとがっている各々の前記角のある部分と、
一組の突起部は、前記第１の要素ベースの端に面する前記反対に固定されており、
前記キャッチ部の個々の連続するセット間のスペース、前記突起部に近い前記突起部及び前記キャッチ部の間のスペースと同様に、端に面するそれぞれにおいて、前記ホックのうちの１つ、及び前記ホックのうちの１つの前記角のある部分と前記第２の要素ベースの間の適合及び前記キャッチ部及び前記突起部が、配置される前記キャッチ部の各々の前記角のある部分を提供するように十分に広く、前記ペアのキャッチ部のうちの１つの角のある
前記ペアのホック及び前記第２の要素ベースの前記角のある部分と前記第１の磁石及び前記第２の磁石のうちの１つの間で位置する、それらの引力が広義の解釈をしたように提携しており、それによって、前記ペアのキャッチ部のうちの１つで取られた、それが磁力によって付けられる前記複数の第２の磁石の１つから前記第１の磁石の分離を防ぐことを特徴とする請求項８記載の調整可能なファスナー。
【請求項１０】
上記の調整可能なファスナーでは、前記第１の付属手段は第１の輪を含み、前記第２の付属手段は第２の輪を含む
ことを特徴とする請求項９記載の調整可能なファスナー。
【請求項１１】
ブラジャーの第１の部分をブラジャーの第２の部分に解放可能に調節して付けるための調整可能なファスナーであって、
前記第１のブラジャー部分に付けることができる第１の接続部材と、
ブラジャーの反対側の第２の部分に付けることができる、選択的で、そのために許す１つを越える相対的地位での前記第１の接続する装置に、磁気的に引きつけられる装置を接続する、第２の接続部材を有するブラジャー・ファスナー。
【請求項１２】
前記第１の接続する装置は磁石であることを特徴とする請求項１１記載の調整可能なブラジャー・ファスナー。
【請求項１３】
前記第２の接続する装置は、前記第１の接続する装置への反対の磁極性の磁石であることを特徴とする請求項１２記載の調整可能なブラジャー・ファスナー。
【請求項１４】
前記第２の接続する装置は、前記第１の接続する装置の反対の極性の磁石に間隔を置くように、少なくとも２つ設けられたことを特徴とする請求項１３記載の調整可能なブラジャー・ファスナー。
【請求項１５】
前記第１及び第２の接続する装置は、レアアース磁石であることを特徴とする請求項１５記載の調整可能なブラジャー・ファスナー。
【請求項１６】
前記レアアース磁石はネオジムであることを特徴とする請求項１５記載の調整可能なブラジャー・ファスナー。
【請求項１７】
前記第１の接続部材と関連する第１の機械式ロック装置と機械的に付属する第２の接続部材と関連する第２の機械式ロック装置は、その不必要な干渉を防ぐために、第一及び第二の磁気によってつないでいる部材を含むことを特徴とする請求項１６記載の調整可能なブラジャー・ファスナー。
【請求項１８】
前記第１及び第２の機械的なロック手段は、前記接続部材、及び前記第２の接続部材に対応して付けられた、対応する連れ添うロック装置の１番めに付けられた少なくとも１つのＬ形のホックを含むことを特徴とする請求項１７記載の調整可能なブラジャー・ファスナー。
【請求項１９】
前記第１及び第２の機械的なロック手段は、前記第１の接続部材に付けられたＬ−形のホック装置にペアを含み、前記第２の接続部材に付けられた、相応して位置した連れ添うロック装置にペアを含む
ことを特徴とする請求項１８記載の調整可能なブラジャー・ファスナー。
【請求項２０】
前記第１及び第２の接続部材はプラスチックからなることを特徴とする請求項１９記載の調整可能なブラジャー・ファスナー。
【請求項２１】
前記第１及び第２のブラジャー部分はブラジャーの正面にあることを特徴とする請求項１１記載の調整可能なブラジャー・ファスナー。
【請求項２２】
前記第１及び第２のブラジャー部分は、ブラジャー・カップであることを特徴とする請求項２１記載の調整可能なブラジャー・ファスナー。
【請求項２３】
前記第１及び第２のブラジャー部分は、ブラジャーの後ろにあることを特徴とする請求項１１記載の調整可能なブラジャー・ファスナー。
【請求項２４】
前記第１及び第２のブラジャー部分は、ブラジャー革ひもであることを特徴とする請求項２３記載の調整可能なブラジャー・ファスナー。
【請求項２５】
ブラジャー用の調整可能なファスナーであって、
ブラジャーの第１の部分に付けられる第１の部材を持っている手段と、
ブラジャーの反対された第２の部分に付けられる第２の部材を持っている手段と、
第１の手段の接続は前記第１の部材に付いており、
前記第２の部材に付けられ、第１及び第２のブラジャー部分の付属の選択的な調節を許す１つを越える関係部分中の前記第１の部材への磁気的に付随する前記部材のための前記第１の接続する手段に、磁気的に取り付け可能な手段を接続すること分離可能に前記第１の部材に前記第２の部材の付属を固定手段をロックすることを特徴とするファスナー。
【発明の詳細な説明】
【技術分野】
【０００１】
本発明は、ブラジャー及び他の衣服のためのファスナーに関し、特に、２つの利用可能な位置のうちの１つで固定され、突発的に開くことを防止するブラジャー・ファスナーに関する。
【背景技術】
【０００２】
長い間、ブラジャーは、着用者の後ろに配置される「鉤ホック」タイプのファスナーを一般に使用して、固定されていた。最近では、多数の他の種類のファスナーが普及しており、かかるファスナーの多くは、着用者の正面となるブラジャーのカップ間に配置される。これらのより新しいファスナーのうちのいくつかは、他のものより効果的である。
【０００３】
あらゆるブラジャー・ファスナーにおける最も重要な機能として、以下のものが含まれる：
（ａ）  一つ目は、突発的に固定が解除されるのを防ぐ安全手段のように、採用された固定方法に基づき、着用時において固定を維持する能力である。
（ｂ）  二つ目は、設計上及び着用者の正面または後ろのいずれの位置上の観点から、ファスナーを意図的に開閉する際の容易性である。
（ｃ）  三つ目は、ファスナーのサイズ、形状、及び位置の結果、着用者に与えられた快適さの程度である。
【０００４】
さらに、いくつかのより新しいブラジャー・ファスナーは、調整が可能である。
それらは、複数の位置で固定することができる。これにより、ブラジャーを快適に緩めに装着したり、胸の谷間を強調するためにきつく装着することができる。
【０００５】
ファスナーの位置や、固定解除の容易性によって、ブラジャーは、他の衣類を脱がないで着用者によって緩めたり、締めたりすることができる。
【０００６】
従来の装置は、ブラジャー（突発的に固定が解除されないことを保証する安全保障機構を有している）のカップ間に位置する快適かつ容易な２つの位置で調整可能なファスナーが含まれていない。それを改善し、かつ着用者の安心感を増加させるのに調整可能なことに加えて、着用者の胸の谷間を強調させる１つの位置、あるいは気楽さを改善し、かつ胸の谷間の強調を重視しない第２の位置の中で、そのようなファスナーを固定することができるかもしれない。
【０００７】
例えば、特許文献１には、側面の滑りを打ち消すための突出部を設けた磁気ファスナーが開示されている。しかしながら、この突出部は、磁力線方向に磁石の分離を防げない。特許文献２には、ブラジャーの正面にファスナーを有する。それは、開くために一つの部材を他の部材に対して回転させる必要がある。
【特許文献１】米国特許第６６０６７６７号
【特許文献２】米国特許第４０５４９７２号
【特許文献３】米国特許第３９７９８０１号
【特許文献４】米国特許第６６４７５９７号
【特許文献５】米国特許第６５３６０８５号
【発明の開示】
【発明が解決しようとする課題】
【０００８】
これは偶然に開くこと防止できるが、２つの部材は適所に安定しない。さらに、特許文献１も、１つ以上の固定位置で固定可能なファスナーを示さない。同様に、特許文献３は、連結する「雄側」及び「雌側」セクションを特色とする機械的なファスナー上の多くの変化について記述する。しかしながら、１つ以上の固定位置で固定されることを熟考するただ一つの変化は、安定するメカニズムを特色としない。
【０００９】
特許文献４は、２つの位置磁気ファスナーを示す。しかし、このファスナーはさらに安定にするメカニズムを持っていない。更に、このファスナーは、靴のために主として意図され、ブラジャー上で使用することは意図していない。特許文献５は、多重位置ファスナーを開示する。また、それは特にブラジャーを備えた使用のために設計されている。しかしながら、このファスナーはカップ間でではなく背側で着用している。したがって、着用者がファスナーの位置を容易に調節することができない。また、調節された時、着用者の胸の谷間の強調度は変化されない。
【００１０】
本発明は、先行技術のファスナーの欠点を考慮し、迅速な調節機能を容易にするブラジャー・ファスナーに関するものである。
【課題を解決するための手段】
【００１１】
上記課題を解決するために、本願発明は、第１の要素と、第２の要素と、前記第２の要素に対する前記第１の要素の動作を制限するための固定手段と、を含み、第１の面と第２の面とを解放可能に接続するための正面固定型ブラジャーへの使用に適合した調整可能なファスナーであって、前記第１の要素は、該第１の要素を前記第２の要素に固定するための第１の固定手段と、前記第１の面へ前記第１の要素を付けるための第１のアタッチメント手段と、を含み、前記第２の要素は、第２の要素ベースと、前記第２の要素を前記第１の要素に固定するための前記第２の要素ベースの面に配置された、複数の第２の固定手段と、前記第２の面へ前記第２の要素を付けるための第２のアタッチメント手段と、を含み、各々の前記複数の第２の固定手段は、前記第１の固定手段に連結可能であることを特徴とする。
【００１２】
ここで、前記調整可能なファスナーにおいて、前記第１の固定手段は、円柱状の柱部を含み、前記複数の第２の固定手段は、各々前記柱部を収容することができる複数のバレルを含むとよい。
【００１３】
前記柱部は、その長さの一部に沿って、前記柱部のそれ未満の高さを持っているプレートの端に固定され、各々の前記バレルは、前記プレートの高さより大きな間隔によって分離された上部のバレルセクション及び下部のバレルセクションを含み、各々の前記下部のバレルセクションは、前記プレートの厚さを提供するために十分な広さを有し、その壁から縦に切断された形状の口径を備え、それによって、前記柱部が前記バレルのうちの１つに挿入された場合に、前記プレートが前記口径を完全に通過し、前記柱部がその円柱状の軸周りに前記バレルに対して回転する場合、前記上部のバレルセクションと前記下部のバレルセクションの間のスペース内を自由に移動するとよい。
【００１４】
前記固定手段は、前記プレートよりも大きな高さを有し、前記柱部が固定された前記プレートの端部の反対側かつ平行する側の端部に、縦方向に固定された棒と、
一方が各々の前記上部のバレルセクションの外壁に配置され、他方が各々の前記下部のバレルセクションの外壁に配置された、複数の突出部と、を含み、前記プレートの幅は、前記突出部が存在しない箇所における各々の前記上部のバレルセクション及び各々の前記下部のバレルセクションの壁の厚さよりもわずかに大きく、かつ、前記突出部が配置される箇所における各々の前記上部のバレルセクション及び各々の前記下部のバレルセクションの壁の厚さにわずかに満たない幅を有し、これにより、前記突出部は、前記柱部の円柱状の軸に対する前記棒の回動を、前記プレートが前記下部のバレルセクションのうちの１つの前記口径と整列する位置と、前記プレートが前記第２の要素ベースと接触する位置との間で阻止することなしに、抑制するとよい。
【００１５】
前記第１の要素は、各々の前記バレルの前記上部のバレルセクションと前記下部のバレルセクションとの間隔に満たない高さを有し、前記プレートが決められる前記棒の端の反対側の前記棒の端に縦に固定された、第１の要素ベースを含み、前記第１のアタッチメント手段は、前記棒に固定される前記第１の要素ベースの端の反対の前記第１の要素ベースの端に接続された第１の輪を含み、前記第２のアタッチメント手段は、前記第１の要素及び前記第２の要素が固定され安定になる時、前記第１の輪から最も遠くに位置した前記第２の要素ベースの端に接続された第２のリングを含むとよい。
【００１６】
前記第１の固定手段は、第１の磁気表面がある第１の磁石を含み、前記複数の第２の固定手段は、複数の第２の磁石を各々含む、それぞれは、前記第１の磁気表面とは磁荷が反対である第２の磁気表面を有するとよい。
【００１７】
前記第１の要素は、第１の固定面を有する第１の要素ベースをさらに含み、前記第１の磁気表面が、前記第１の固定面と同じ平面上に位置するように、前記第１の磁石は前記第１の要素ベースに埋め込まれ、各々の前記第２の磁石は、直線上に整列し、前記第２の要素ベースに埋め込まれており、各々の前記第２の磁石の前記第２の磁気表面は、前記第２の要素ベースの前記面と同じ平面上に位置するとよい。
【００１８】
前記第１のアタッチメント手段は、前記第１の磁石から最も離れた前記第１の要素ベースの端に配置され、前記第２のアタッチメント手段は、前記第２の磁石の前記直線配置の一端にある前記第２の要素ベースの端に配置するとよい。
【００１９】
前記固定手段は、固定され、前記第２の要素ベースの前記面から垂直に突出する一対のホックを有し、前記一対のホックは、前記第２のアタッチメント手段から最も離れた位置に配置される前記複数の第２のマグネットのうち一つの反対側の端に配置され、各一対のホックは、前記第２のアタッチメント手段が配置される前記第２の要素ベースの端の方向に向かう角部を有しており、複数組のキャッチ部を有し、この複数組のキャッチ部は、前記第２の要素ベースに埋め込まれた第２の磁石の数に等しく、各複数組のキャッチ部は、固定され、前記第１の要素ベースの前記反対側の面端から突出しており、前記面端は前記第１のアタッチメント手段が配置される前記端に垂直であり、前記複数組のキャッチ部の一つは、前記第１のアタッチメント手段から最も離れた前記反対側の面端の端に配置されており、前記キャッチ部の一つは、角部隣接部を有しており、前記第１の要素ベースの端に平行であり、前記角部はそれぞれ、前記第１の固定面と同じ面に配置される面を有しており、前記第１のアタッチメント手段は、前記第１の要素ベースの端の方向に向かう角前記角部に配置され、一対のコブは、前記第１のアタッチメント手段に最も接近した前記反対側の面端の端部に配置され,前記第１のアタッチメント手段が配置される前記複数の第２の磁石の１つの反対の横に配置された、前記第２の付属手段から最も遠くに位置した、各々の前記ペアのホックに角のある部分があること、前記第２の要素ベースの端の方向に指示され、前記第２の付属手段が配置され、複数のペアのキャッチ部、前記第２の要素ベースに埋め込まれていた第２の磁石の数と等しく、各々の前記ペアのキャッチ部に固定し、前記第１の要素ベースの反対の面する端から突出しており、端に垂直であり、前記第１の付属手段が配置されるか、前記ペアのキャッチ部のうちの１つは端で配置された端に前記第１の付属手段から最も遠くに面すること及び前記ことの端に隣接していて、それが固定される要素ベース、前記第１の固定する面と同じ平面にある角面、及び、前記第１の付属手段が配置される前記第１の要素ベースの端の方向にとがっている各々の前記角のある部分と、一組の突起部は、前記第１の要素ベースの端に面する前記反対に固定されており、前記キャッチ部の個々の連続するセット間のスペース、前記突起部に近い前記突起部及び前記キャッチ部の間のスペースと同様に、端に面するそれぞれにおいて、前記ホックのうちの１つ、及び前記ホックのうちの１つの前記角のある部分と前記第２の要素ベースの間の適合及び前記キャッチ部及び前記突起部が、配置される前記キャッチ部の各々の前記角のある部分を提供するように十分に広く、前記ペアのキャッチ部のうちの１つの角のある前記ペアのホック及び前記第２の要素ベースの前記角のある部分と前記第１の磁石及び前記第２の磁石のうちの１つの間で位置する、それらの引力が広義の解釈をしたように提携しており、それによって、前記ペアのキャッチ部のうちの１つで取られた、それが磁力によって付けられる前記複数の第２の磁石の１つから前記第１の磁石の分離を防ぐとよい。
【００２０】
上記の調整可能なファスナーでは、前記第１の付属手段は第１の輪を含み、前記第２の付属手段は第２の輪を含むとよい。
【００２１】
ブラジャーの第１の部分をブラジャーの第２の部分に解放可能に調節して付けるための調整可能なファスナーであって、前記第１のブラジャー部分に付けることができる第１の接続部材と、ブラジャーの反対側の第２の部分に付けることができる、選択的で、そのために許す１つを越える相対的地位での前記第１の接続する装置に、磁気的に引きつけられる装置を接続する、第２の接続部材を有するブラジャー・ファスナー。
【００２２】
ここで、前記第１の接続する装置を磁石である。前記第２の接続する装置は、前記第１の接続する装置への反対の磁極性の磁石にするとよい。
【００２３】
前記第２の接続する装置は、前記第１の接続する装置の反対の極性の磁石に間隔を置くように、少なくとも２つ設けるとよい。
【００２４】
前記第１及び第２の接続する装置は、レアアース磁石とすることができる。前記レアアース磁石はネオジムとすることができる。
【００２５】
前記第１の接続部材と関連する第１の機械式ロック装置と機械的に付属する第２の接続部材と関連する第２の機械式ロック装置は、その不必要な干渉を防ぐために、第一及び第二の磁気によってつないでいる部材を含むとよい。
【００２６】
前記第１及び第２の機械的なロック手段は、前記接続部材、及び前記第２の接続部材に対応して付けられた、対応する連れ添うロック装置の１番めに付けられた少なくとも１つのＬ形のホックを含むとよい。
【００２７】
前記第１及び第２の機械的なロック手段は、前記第１の接続部材に付けられたＬ−形のホック装置にペアを含み、前記第２の接続部材に付けられた、相応して位置した連れ添うロック装置にペアを含むとよい。
【００２８】
前記第１及び第２の接続部材はプラスチックにするとよい。
【００２９】
前記第１及び第２のブラジャー部分はブラジャーの正面に配置するとよい。
【００３０】
前記第１及び第２のブラジャー部分は、ブラジャー・カップにするとよい。
【００３１】
前記第１及び第２のブラジャー部分は、ブラジャーの後ろにするとよい。
【００３２】
前記第１及び第２のブラジャー部分は、ブラジャー革ひもにするとよい。
【００３３】
ブラジャー用の調整可能なファスナーであって、ブラジャーの第１の部分に付けられる第１の部材を持っている手段と、ブラジャーの反対された第２の部分に付けられる第２の部材を持っている手段と、第１の手段の接続は前記第１の部材に付いており、前記第２の部材に付けられ、第１及び第２のブラジャー部分の付属の選択的な調節を許す１つを越える関係部分中の前記第１の部材への磁気的に付随する前記部材のための前記第１の接続する手段に、磁気的に取り付け可能な手段を接続すること分離可能に前記第１の部材に前記第２の部材の付属を固定手段をロックすることを特徴とするファスナー。
【発明の効果】
【００３４】
本願発明によれば、ブラジャーによる胸のしめつけ具合を簡単に調節することができる。
【発明を実施するための最良の形態】
【００３５】
本願発明は、２つの位置において容易に調整可能で、ブラジャーの装着が偶然に解かれないだろうということを保証するために安定にするメカニズムを持っているファスナーである。
【００３６】
このファスナーは、ブラジャーのカップ間で位置するように設計されている。その結果、締め付け具合を簡単に調整できることに加えて、着用者の胸の谷間を強調する第１の位置において、あるいは、着用者の胸の谷間の強調を重視しない第２の位置において、固定することができる。あるいは、ブラジャーの後部革ひもへのファスナーのポジショニングも考慮される。
【００３７】
発明の第１の実施形態によれば、雄側ファスナー要素は互いと平行で、円柱状の柱部及び棒を持っており、また水平なプレートによって分離されている。雌側ファスナー要素は、ベースに二つのバレル部材を固定しており、各々は閉じたセグメントから構成される上部セグメント（つまり、有底筒状）と、開いたセグメントから構成される下部セグメント（つまり、筒形状）とからなり、これらの上部及び下部セグメントは、ベースに形成された溝によって連結されている。
バレル部材の突起部は、バレル部材の壁部を外側に膨張させることにより構成される。
【００３８】
最初に要素を固定するために、柱部は、プレートが、下部のバレルセグメントの穴を通り抜けるように位置して、バレルのうちの１つに挿入される。
一旦柱部の端がそれぞれバレルのそれぞれのセグメントの内部に入ると、雄側要素は、２つの要素が完全に固定された位置の中で安定になるまで、干渉する突起部を超えて棒を進めながら回転させる。
【００３９】
発明の第２の実施形態によれば、第１の要素はベースに１つの磁石を埋め込んでいる。その結果、磁石の面のみを視認することができる。また、一連のＬ字型のキャッチ部は、ベースから横に突出する。
【００４０】
第２の要素は第２のベースに埋め込まれる同様に２つの磁石を有している。また、第２のベース面から突出する一対のＬ字型のホックの形をしている明確な機械的なロック手段が提供される。
【００４１】
最初に要素を固定するために、第１の要素の磁石は、第２の要素の磁石のうちの１つと接触させられる。
【００４２】
L字型ホックの通過を許容するためにＬ字型のホック間に十分な余裕を有している。しかし、そのような位置では、接触へもたらされた２つの磁石は正確に整列しない。
【００４３】
２つの磁石の磁力は、それらを横にシフトさせ、互いに整列することにより働く。
この横へのシフトは、さらにキャッチ部のうちの１つで各ホックを取る役目をする。
このポイントでは、２つの要素は完全に固定された位置の中で安定になる。
【００４４】
本発明の特徴は、その適合と気楽さを最大限にするために、２つの異なる位置のうちいずれか一方に固定することができるブラジャー・ファスナーの対策にある。
【００４５】
本発明の第２の特徴は、ブラジャーのカップ間で快適に有効に着用することができるブラジャー・ファスナーを提供することである。その結果、ファスナーを締めることは着用者の胸の谷間を強調する。また、ファスナーを緩めることは気楽さを改善し、胸の谷間を強調しないことになる。
【００４６】
しかし、本発明の第２の特徴は、２つの位置の一方の１つで固定することができ、偶然に解くことを縮小するか除去するために安定になることができるブラジャー・ファスナーの準備に存在する。
【００４７】
これら及び他の特徴や利点は、以下の詳細な説明及び図面から明白になるであろう。
【００４８】
各図面及びまず図１を参照すると、第１の好ましい実施形態におけるブラジャー１は、２個のカップ３及びファスナー５を含む。ファスナー５は、それぞれのカップ３の間に配置され、図２乃至図８でより明白に示されるように、各カップに取付けられる。なお、図１８中に示されるように、本発明のファスナーは、ブラジャーの後ろに位置すること、すなわち、ブラジャーの後部ストラップに接続されることもできる。
【００４９】
まず、図１乃至図８を参照すると、ファスナー５は、雄側要素１０及び雌側要素３０を含み、これらは各々、独立しており、頑丈で弾力のあるプラスチックによる一体成形品である。雄側要素１０は、上側突起部１２ａ、上端部１２ｂ、下側突起部１２ｃ、及び下端部１２ｄを備えた円柱状の柱部１２を含んでいる。好ましくは、柱部１２の上端部１２ｂ及び下端部１２ｄは、曲面状とされる。
【００５０】
柱部１２は、先端縁１４ａがある平板状で長方形のプレート１４、後端縁１４ｂに面する反対、上端縁１４ｃ、及び下端縁１４ｄに面する反対に隣接している。
【００５１】
上側突起部１２ａが、プレート１４の上端縁１４ｃを越えて延びるように、柱部１２は、プレート１４の先端縁１４ａに縦に接続される。また、下側突起部１２ｃは、プレート１４の下端縁１４ｄを越えて延びる。プレート１４の厚さは柱部１２の直径未満に設定されている。
【００５２】
ここで、図２に示すように、プレート１４の後端縁１４ｂは、棒１６に縦に接続される。それは形において、上部のセグメント１６ａ及び下部のセグメント１６ｂを持っている。上部のセグメント１６ａは、プレート１４の上端縁１４ｃを越えて延びる。また、下部のセグメント１６ｂはプレート１４の下端縁１４ｄを越えて延びる。
平板状で長方形のベース１８は、プレート１４に向かい合った棒１６のサイドに隣接している。
【００５３】
棒１６は、ベース１８の先端縁１８ａにおいて縦に接続される。
ベース１８は、反対側に面する後端縁１８ｂを有しており、この後端縁１８ｂは環状部２０の外縁部２１に縦に付けられる。
環状部２０の内縁部２２は、スロット２４を定義する。
【００５４】
カップ３の１つから外側に延びる繊維片は、スロット２４を貫通しており、折り重ねられ、縫われるか、そうでなければそれ自体に付けられており、それによって、ブラジャー１のカップ３の一つに雄側要素１０を取付ける。
【００５５】
雌側要素３０は、先端縁３２ａ、後端縁３２ｂ、上端縁３２ｃ、下端縁３２ｄ及び前面部３２eがある平板状の長方形のベース部材３２を含んでいる。第１のバレル３４はベース部材３２の前面部３２ｅ上に形成される。
【００５６】
第１のバレル３４は、第１の閉シリンダ３６と、第１の開シリンダ３８及びベース部材３２の前面部３２eを切断する第１の溝４０を含む。
第１の溝４０は、実際は下端縁３２ｄから、上端縁３２ｃの手前まで延びており、先端縁３２ａに隣接している。
【００５７】
第１閉シリンダ３６は、先端縁３２ａ及び上端縁３２ｃが交わる隅部においてベース部材３２内に部分的に埋め込まれるように見えており、その中心軸は、先端縁３２aに平行である。
【００５８】
第１閉シリンダ３６は、中実セグメント３６ａ及び空洞セグメント３６ｂを持っている。空洞セグメント３６ｂは、軸方向に配列され、円筒状であって、第１閉穴部４２を定義する（つまり、有底筒状）。
【００５９】
第１閉シリンダ３６は、第１の溝４０の上端部４０ａが、ベース部材３２の前面部３２eを切り込んだ第１閉穴部４２の切断面に一致するように配置される。
【００６０】
第１閉穴部４２の高さ及び直径は、柱部１２の上側突起部１２ａの直径及び高さよりわずかに大きい。
第１閉シリンダ３６の直径は、雄側要素１８の先端縁１８ａ及び後端縁１８ｂの間隔よりも小さい。
【００６１】
図２に示されるように、第１閉シリンダ３６の空洞セグメント３６ｂの壁の厚さは、プレート１４の上端縁１４ｃ及び下端縁１４ｄの長さにわずかに満たない。
【００６２】
しかしながら、第１の上側突出部４４は、第１閉シリンダ３６の外側に延びており、その結果、第１の上側突出部４４が形成される空洞セグメント３６ｂの壁の厚さは、プレート１４の上端縁１４ｃ及び下端縁１４ｄの長さよりわずかに大きい。
【００６３】
第１の上側突出部４４は、第１閉シリンダ３６の全長を走り、前面部３２eから最も遠い位置と、ベース部材３２の後端縁３２ｂから最も遠い位置との間の周囲を走る（ただし、延びていない）「突起」ように見える。
【００６４】
第１閉シリンダ３６のように、第１開シリンダ３８は、先端縁３２ａと平行な中心軸を有し、ベース部材３２に部分的に埋め込まれているように見える。
【００６５】
第１開シリンダ３８は、先端縁３２ａ及び下端縁３２ｄが交わり、その全長にわたり中空となっており、軸方向に配列され、円筒状であり、第１の開口穴部４６を定義する（つまり、有底筒状）。
【００６６】
第１開シリンダ３８は、第１の溝４０の下端部４０ｂが、ベース部材３２の前面部３２eに切り込む第１の開口穴部４６の部分に一致するように、配置される。
【００６７】
第１の開口穴部４６の直径は、柱部１２の下側突起部１２ｂの直径よりもわずかに大きい。第１の開シリンダ３８の直径は、雄側要素ベース１８の先端縁１８ａ及び後端縁１８ｂの間の間隔よりも小さい。
【００６８】
第１の口径４８は、第１の開シリンダ３８の全体にわたって切り込まれており、第１の開シリンダ３８の壁を介して、幅広く放射状に延びている。周辺に、第１の口径４８は、前面部３２eから最も離れた位置からベース部材３２の後端縁３２ｂに向かって延びている。
【００６９】
第１の口径４８の幅は、プレート１４の厚さよりも大きく、及び柱部１２の直径よりも小さい。第１の開シリンダ３８の壁の厚みは、一般にプレート１４の上端縁１４ｃ及び下端縁１４ｄの長さよりもわずかに小さい。
【００７０】
第１の下側突出部５０は、第１の開シリンダ３８から外側に延びており、その結果、第１の下側突出部５０が形成される第１の開シリンダ３８の壁の厚さは、プレート１４の上端縁１４ｃ及び下端縁１４ｄの長さよりわずかに大きい。
【００７１】
第１の下側突出部５０は、第１の開シリンダ３８の全長を走り、前面部３２eから最も遠い位置と、ベース部材３２の後端縁３２ｂから最も遠い位置との間の周囲を走る（ただし、延びていない）「突起」のように見える。
【００７２】
第２のバレル５４は、さらにベース部材３２の前面部３２e上に形成される。ベース部材３２に対する形成位置以外では、第２のバレル５４は第１のバレル３４と略同じ構成となっている。第２のバレル５４は、第２の閉シリンダ５６、第２の開シリンダ５８及びベース部材３２の前面部３２eを切り欠いた第２の溝６０からなる。
【００７３】
第２の溝６０は、実際は下端縁３２ｄから、ちょうど上端縁３２ｃの手前まで延びており、後端縁３２ｂに隣接している。第２の閉シリンダ５６は、後端縁３２ｂ及び上端縁３２ｃが交わる隅でベース部材３２に部分的に埋め込まれるように見え、その中心軸は後端縁３２ｂに平行である。
【００７４】
第２の閉シリンダ５６は、中実のセグメント５６ａ及び中空のセグメント５６ｂを有している。ここで、中空のセグメント５６ｂは、１つの、軸方向に配列され、円筒状であり、第２の閉穴部６２を定義する（つまり、有底筒状）。
【００７５】
第２の閉じシリンダ５６は、第２の溝６０の上端部６０ａが、ベース部材３２の前面部３２eに切り込まれた第２の閉穴部６２の部分と一致するように、配置されている。第２の閉穴部６２の直径及び高さは、柱部１２の上側突起部１２ａの直径及び高さよりわずかに大きい。
【００７６】
第１の閉シリンダ３６と第２の閉じシリンダ５６との間の間隔は、それらの最も近接した位置において、ベース１８の先端縁１８ａからプレート１４の後端縁１４ｂまで測定されるように棒１６の幅よりも大きい。第２の閉シリンダ５６の中空のセグメント５６ｂの壁の厚さは、一般に、プレート１４の上端縁１４ｃ及び下端縁１４ｄの長さよりも小さく設定されている。
【００７７】
第２の上側突出部６４は、第２の閉シリンダ５６から外側に延びており、その結果、第２の上側突出部６４が形成される中空のセグメント５６ｂの壁の厚さは、プレート１４の上端縁１４ｃ及び下端縁１４ｄよりもわずかに大きく設定されている。
【００７８】
全長さを実行する「増加」が第２の閉シリンダ５６を、周辺に間に走るように、第２の上側突出部６４が現われる、しかし伸びないこと、に、前面部３２eから最も遠い位置、及びベース部材３２の先端縁３２ａに近い位置。
【００７９】
第２の上側突出部６４は、第２の閉シリンダ５６の全長を走り、前面部３２eから最も遠い位置と、ベース部材３２の先端縁３２ａから最も接近した位置との間の周囲を走る（ただし、延びていない）「突起」のように見える。第２の開シリンダ５８は、ベース部材３２に部分的に埋め込まれ，後端縁３２ｂと平行な中心軸を有するように見える。
【００８０】
第２の開シリンダ５８は、後端縁３２ｂ及び下端縁３２ｄが交わる隅に配置され、その全長にわたって中空となっており、軸方向に配列され、円筒状であり、第２の開口部６６を定義する（つまり、有底筒状）。
【００８１】
第２の開シリンダ５８は、第２の溝６０の下端部６０ｂが、ベース部材３２の前面部３２eに切り込んでいる第２の開口穴部６６の部分に一致するように、配置される。第２の開口穴部６６の直径は、柱部１２の下側突起部１２ｂの直径よりもわずかに大きい。
【００８２】
第１の開シリンダ３８及び第２の開シリンダ５８の間隔は、それらが最も接近する位置では、ベース部材１８の先端縁１８ａからプレート１４の後端縁１４ｂまで測定されるように、棒１６の幅よりも大きく設定されている。
【００８３】
第２の口径６８は、第２の開シリンダ５８の全体にわたって切り込まれており、第２の開シリンダ５８の壁を介して、放射状に延びている。周辺に、第２の口径６８は、前面部３２eから最も遠い位置からベース部材３２の後端縁３２ｂに向かって延びている。
【００８４】
第２の口径６８の幅は、プレート１４の厚さよりも大きく、柱部１２の直径よりも小さい。第２の開シリンダ５８の壁の厚さは、一般に、プレート１４の上端縁１４ｃ及び下端縁１４ｄの長さよりも僅かに小さく設定されている。
【００８５】
第２の下側突出部７０は、第２の開シリンダ５８から外側に延びており、その結果、第２の下側突出部７０が形成される第２の開シリンダ５８の厚み寸法は、プレート１４の上端縁１４ｃ及び下端縁１４ｄの長さよりも僅かに大きくなっている。
【００８６】
第２の下側突出部７０は、第２の開シリンダ５８の全長を走り、ベース部材３２の前面部３２eから最も遠い位置と、先端縁３２ａに最も接近した位置との間の周囲を走る（ただし、延びていない）「突起」のように見える。
【００８７】
環状部７２は、外縁部７３、及びスロット７６を定義する内縁部７４を備える。環状部７２の外縁部７３は、ベース部材３２の先端縁３２ａから最も遠い位置において、第２の閉シリンダ５６に一つのポイントで取付けられており、第２の開シリンダ５８に別のポイントで取り付けられている。
【００８８】
第２の閉シリンダ５６及び第２の開シリンダ５８の外縁部７３のセグメントは、後端縁３２ｂ及び前面部３２eが交わるところのラインに略沿って、ベース部材３２に縦に接する。
【００８９】
繊維片は、雄側要素１０に付けられないカップ３から外側に延びており、スロット７６を貫通しており、折り重ねられ、縫われるか、そうでなければそれ自体に付けられており、それによってブラジャー１の他のカップ３に雌側要素３０を取付けている。
【００９０】
カップ３の１つから外側に延びる繊維片は、スロット２４を貫通しており、折り重ねられ、縫われるか、そうでなければそれ自体に付けられており、それによって、ブラジャー１のカップ３の一つに雄側要素１０を取付ける。
【００９１】
図３及び図４に示すように、第１の固定位置で雌側要素３０に雄側要素１０を最初に固定するために、柱部１２の上側突起部１２ａは、第１の開口穴部４６に軸方向に挿入される。柱部１２の曲面状とされた上端部１２ｂは、上側突起部１２ａの第１の開口穴部４６への挿入を容易にする。
【００９２】
プレート１４が第１の口径４８に位置決めされるように雌側要素３０に対して雄側要素１０を回転させた状態で、柱部１２を第１の溝４０に沿って、第１の閉穴部４２側に滑らせる。プレート１４が完全に第１の口径４８を通り抜けた時、上側突起部１２ａは第１に内部内に位置しており、第１の溝４０の上端部４０ａにとどまる。
【００９３】
柱部１２の下側突起部１２ｃは、第１の開口穴部４６内に位置しており、第１の溝４０の下端部４０ｂにとどまる。プレート１４は、第１の閉シリンダ３６及び第１の開シリンダ３８の間に縦に配置される。
【００９４】
ここで、図５乃至図８に示すように、雌側要素３０に対して雄側要素１０を固定するために、柱部１２の円柱軸周りに、雄側要素１０をベース部材３２の先端縁３２ａに向かうように回転させる。
【００９５】
第１の上側突出部４４及び第１の下側突出部５０はそれぞれ、上部セグメント１６ａ及び下部セグメント１６ｂに干渉する。どんな人も、第１の上側突出部４４及び第１の下側突出部５０による干渉を容易に解消することができる。しかし、偶然に開かないように十分な力が必要とされる。
【００９６】
一旦棒１６が第１の上側突出部４４及び第１の下側突出部５０を通過すると、雄側要素１０及び雌側要素３０は固定され安定する。それらの突出部は、雄側要素１０が一方向に回転するのを防ぎ、プレート１４は、他の方向に回転するのを防ぐために、雌側要素のベース部材３２に接する。
【００９７】
プレート１４は、柱部１２の軸方向において雄側要素１０の移動を防ぐために、第１の閉シリンダ３６及び第１の開シリンダ３８の間に位置する。
【００９８】
図３中の破線は、雄側要素１０が第２の固定位置で雌側要素３０にどのように固定されるか示す。柱部１２の上側突起部１２ａは、第２の開口穴部６６に軸方向に挿入される。プレート１４が第２の口径６８に配列されるように、雌側要素３０に対して雄側要素１０を回転させた状態で、柱部１２を第２の溝６０に沿って、第２の閉開口部６２側に滑らせる。
【００９９】
プレート１４が完全に第２の口径６８を通り抜けた時、上側突起部１２ａは第２の閉穴部６２内に位置しており、第２の溝６０の上端部６０ａにとどまっており、柱部１２の下側突起部１２ｃは、第２の開口穴部６６内に位置しており、第２の溝６０の下端部６０ｂにとどまっている。プレート１４は、第２の閉シリンダ５６及び第２の開シリンダ５８の間に縦に位置している。
【０１００】
その後、雄側要素１０は上記のように雌側要素３０に対して固定される。雄側要素１０を、柱部１２の円柱軸周りに、ベース部材３２の先端縁３２ａに向かうように回転させる。十分な力を持って、棒１６は、第２の上側突出部６４及び第２の下側突出部７０によって引き起こされた干渉を解消することができる。
【０１０１】
棒１６の上部のセグメント１６ａは、第１の閉シリンダ３６及び第２の閉シリンダ５６の間で、ベース部材３２の前面部３２eに対してとどまる。棒１６の下部のセグメント１６ｂは、第１の開シリンダ３８及び第２の開シリンダ５８の間で、ベース部材３２の前面部３２eに対してとどまる。
【０１０２】
雄側要素１０のベース部材１８は、第１の閉シリンダ３６及び第１の開シリンダ３８の間にとどまる。プレート１４は、第２の閉シリンダ５６を及び第２の開シリンダ５８の間にとどまる。このポイントでは、雄側要素１０及び雌側要素３０は、第２の固定位置で固定され安定する。
【０１０３】
雄側要素１０及び雌側要素３０が第２の位置で固定される場合、環状部２０及び７２は、雄側要素１０及び雌側要素３０が第１の位置で固定される場合よりも互いに接近した状態となっている。これは、ブラジャー着用者の胸の谷間を強調する。
【０１０４】
ファスナー５がブラジャー１のカップ３間で位置するので、着用者に容易に手をのばすことができる。したがって、着用者は、シンプルかつ自然に胸の谷間の見栄えを変え、さらに、雄側要素１０及び雌側要素３０の固定位置の変更により、ゆとりレベルを調節することができる。
【０１０５】
次に、図９乃至図１７において、最初に図９を参照すると、本発明の第２の好ましい実施の形態におけるブラジャー１０１は、２個のカップ１０３及び１つのファスナー１０５を含む。ファスナー１０５は、２個のカップ１０３の間に位置し、かつ、図１０乃至図１  ７中でより明白に示され、また以下に開示されるように、各カップに取付けられる。
【０１０６】
ここで、図９乃至図１７を参照すると、ファスナー１０５は、ダブル磁石部１１０及びシングル磁石部１４０を備えた構成となっている。以下に述べるように、ダブル磁石部１１０及びシングル磁石部１４０の一部をなす磁石以外の各要素は、それぞれ、単一で、頑丈なプラスチックの成形品からなる。
【０１０７】
ダブル磁石部１１０は、先端縁１１２ａ、後端縁１１２ｂに面する反対、上端縁１１２ｃ、下端縁１１２ｄに面する反対、正面部１１２ｅ及び裏面部１１２ｆを有する長方形のベース部材１１２を有している。
【０１０８】
第１の凹部１１４及び第２の凹部１１６（これらは、サイズ及び形状が略同じであり、長方形である）は、ベース部材１１２の正面部１１２ｅを切り欠いているが、裏面部１１２ｆには達していない。
【０１０９】
第１の凹部１１４及び第２の凹部１１６は、並んで配置されており、それらの縁はベース部材１２の縁に平行である（先端縁１１２ａに近い第１の凹部１１４及び後端縁１１２ｂに近い第２の凹部１１６のベース部材１１２の端と平行なそれらの端）。
【０１１０】
第１の磁石１１８は（凹部１１４と略同サイズで、長方形である）、完全に第１の凹部１１４内に埋め込まれるように接着され、又はアタッチされる。第１の磁石１１８の正面部１１８ａは、ベース部材１１２の正面部１１２ｅと略同じ平面に配置される。第１の磁石１１８の磁力線は、正面部１１８ａを通って垂直に延びており、その結果、第１の磁石１１８の一方の極は正面部１１８ａに位置する。
【０１１１】
同様に、第２の磁石１２０は（第１の磁石１１８と略同じサイズで、長方形である）、完全に第２の凹部１１６に埋め込まれるようにベース部材１１２に接着され、又はアタッチされる。
【０１１２】
第２の磁石１２０の正面部１２０ａは、ベース部材１１２の正面部１１２ｅと略同じ平面に位置しており、第２の磁石１２０の磁力線は、正面部１２０ａを通って垂直に延びている。
【０１１３】
第２の磁石１２０の正面部１２０ａは、第１の磁石１１８の正面部１１８ａと同じ極性を持っている。磁石は、ネオジムや他の磁化材料のようなレアアース磁性材料とすることができる。
【０１１４】
Ｌ字状の上部ホック１２２は、ベース部材１１２の先端縁１１２a及び第１の磁石１１８に近接近して、ベース部材１１２の前面１１２eの外側に垂直に延びる長方形脚１２３を有しており、上部ホック１２２の外周面がベース部材１１２の上端縁１１２ｃと略同一平面に配置される。
【０１１５】
上部のホック１２２の長方形腕１２４は、ベース部材１１２には隣接していない脚１２３の端部から、ベース部材１１２の後端縁１１２ｂの方に、垂直に突出する。上部ホック１２２がベース部材１１２から突出する長さは、正面部１１２ｅから裏面部１１２ｆに測定されるように、ベース部材１１２の厚さと略同じである。
【０１１６】
同様に、Ｌ字状の下部ホック１２６は、ベース部材１１２の第１の磁石１１８及び先端縁１１２ａに近接近して、ベース部材１１２の正面部１１２ｅから垂直に伸びる長方形脚１２７を有しており、下部ホック１２６の外周面１２６ａがベース部材１１２の下端縁１１２ｄと同じ平面に配置される。
【０１１７】
下部ホック１２６の長方形腕１２８は、ベース部材１１２には隣接していない脚１２７の端部から、ベース部材１１２の後端縁１１２ｂの方へ、垂直に突出する。
【０１１８】
むしろ、上部ホック１２２と下部ホック１２６は、ベース部材１１２の先端縁１１２ａから等しく遠く離れている。
【０１１９】
環状部１３０の外周端１３２は、ベース部材１１２の後端縁１１２ｂに縦に付けられ、ベース部材１１２の正面部１１２ｅによってほぼ定義された平面が、環状部１３０を二分するように位置している。環状部１３０の内縁１３４は、スロット１３６を定義する。
【０１２０】
カップ１０３の１つから外側に延びる繊維片は、スロット１３６を貫通しており、折り重ねられ、縫われるか、そうでなければそれ自体に付けられており、それによって、ブラジャー１０１のカップ１０３の一つにダブル磁石部１１０を取付ける。
【０１２１】
シングル磁石部１４０は、先端縁１４２ａ、後端縁１４２ｂに面する反対、上端縁１４２ｃ、下端縁１４２ｄに面する反対、正面部１４２ｅ及び裏面部１４２ｆを有する長方形のベース部材１４２を有している。ベース部材１４２の長さは、先端縁１４２ａから後端縁１４２ｂまで、ダブル磁石部１１０のベース部材１１２の対応する寸法に一致している。
【０１２２】
同様に、ベース部材１４２の厚さは、正面部１４２ｅから裏面部１４２ｆまで、ダブル磁石部１１０のベース部材１１２の厚さに略等しい。以下で説明するように、ベース部材１４２の高さは、上端縁１４２ｃから下端縁１４２ｄまで、ダブル磁石部１１０のベース部材１１２に対応する寸法よりも小さい。
【０１２３】
第３の凹部１４４及び第４の凹部１４６は、ベース部材１４２の正面部１４２ｅから切り抜かれるが、裏面部１１２ｆまでは達しない。第３の凹部１４４及び第４の凹部１４６は長方形で、互いにサイズと形が同じであり、ダブル磁石部１１０の第１の凹部１１４及び第２の凹部１１６と略同じである。
【０１２４】
第３の凹部１４４及び第４の凹部１４６は並んで位置している（先端縁１４２ａに近い第３の凹部１４４及び後端縁１４２ｂに近い第４の凹部１４６のベース部材１４２の端と平行なそれらの端）。
【０１２５】
第３の磁石１４８は、長方形であり、第３の凹部１４４と略同じサイズであり、それが第３の凹部１４４に完全に埋め込まれるように、ベース部材１４２に接着されるか、そうでなければアタッチされる。
【０１２６】
第３の磁石１４８の正面部１４８ａは、ベース部材１４２の正面部１４２ｅと同じ平面に配置されており、第３の磁石１４８の磁力線は、正面部１４８ａを通って垂直に延びている。第３の磁石１４８の正面部１４８ａの極性は、１の磁石１１８の正面部１１８ａ及び第２の磁石１２０の正面部１２０ａのそれと反対である。
【０１２７】
Ｌ字状の第１上部のキャッチ部１５０は、ベース部材１４２の上端縁１４２ｃから垂直に突出している。第１の上部のキャッチ部１５０の長方形脚１５１は、ベース部材１４２の先端縁１４２ａに隣接していて、ベース部材１４２と同じ厚さがある。
【０１２８】
第１の上部のキャッチ部１５０の長方形の腕１５２は、ベース部材１４２の正面部１４２ｅに近い脚１５１の端部から、ベース部材１４２の後端縁１４２ｂの方へ、垂直に突出している。
【０１２９】
第１の上部キャッチ部１５０の腕１５２が、脚１５１から突出した寸法は、上部ホック１２２の腕１２４が脚１２３から突出する寸法と略同じである。
【０１３０】
Ｌ字状の第１の下部キャッチ部１５４は、第１の上部のキャッチ部１５０と略同じサイズ及び形状であり、ベース部材１４２の下端縁１４２ｄから垂直に突出している。
【０１３１】
第１の下部のキャッチ部１５４の長方形の脚１５５は、ベース部材１４２の先端縁１４２ａに隣接しており、ベース部材１４２と同じ厚さがある。第１の下部キャッチ部１５４の長方形の腕１５６は、ベース部材１４２の正面部１４２ｅに近い脚１５５の端部から、ベース部材１４２の後端縁１４２ｂの方へ、垂直に突出している。
【０１３２】
第１の下部のキャッチ部１５０の腕１５６が脚１５５から突出した寸法は、下部のホック１２６の腕１２８が脚１２７から延びた寸法と略同じである。先端縁１４２ａのベース部材１４２の高さは、第１の上部のキャッチ部１５０及び第１の下部のキャッチ部１５４の追加分によって増加するように、ダブル磁石部１１０のベース部材１１２の対応した寸法に略同じである。
【０１３３】
Ｌ字状の第２の上部キャッチ部１５８は、ベース部材１４２の上端縁１４２ｃから垂直に突出しており、上端縁１４２ｃの縦中間点に位置している。第２の上部のキャッチ部１５８の長方形の脚１５９は、ベース部材１４２と同じ厚さを持っている。
【０１３４】
脚１５９は、第１の上部キャッチ部１５０の腕１３２と第２の上部キャッチ部１５８の脚１５９との間隔が、最も接近した位置において、腕１２４を含む上部ホック１２２の幅よりもわずかに大きくなるように配置される。
【０１３５】
第２の上部キャッチ部１５８の長方形の腕１６０は、ベース部材１４２の正面部１４２ｅに近い脚１５９の端部から、ベース部材１４２の後端縁１４２ｂの方へ、垂直に突出している。
【０１３６】
第２の上部キャッチ部１５８の腕１６０が脚１５９から延びる距離は、上部ホック１２２の腕１２４が脚１２３から延びる距離に略等しい。
【０１３７】
Ｌ字状の第２下部のキャッチ部１６２は、さらにベース部材１４２の下端縁１４２ｄから垂直に突出しており、下端縁１４２ｄの縦中間点に位置している。第２の下部キャッチ部１６２の長方形の脚１６３は、ベース部材１４２と同じ厚さを有している。
【０１３８】
脚１６３は、第１の下部キャッチ部１５４の腕１５６と第２の下部のキャッチ部１６２の脚１６３との間隔が、それらの最も接近した位置において、腕１２８を含む下部のホック１２６の幅よりわずかに大きくなるように位置している。
【０１３９】
第２の下部キャッチ部１６２の長方形の腕１６４は、ベース部材１４２の正面部１４２ｅに近い脚１６３の端部から、ベース部材１４２の後端縁１４２ｂの方へ、垂直に突出している。
【０１４０】
第２の下部のキャッチ部１６２の腕１６４が脚１６３から延びる寸法は、下部ホック１２６の腕１２８が脚１２７から延びる寸法に略一致している。ベース部材１４２と同じ厚さがある上側突起部１６６は、ベース部材１４２の上端縁１４２ｃから垂直に突出しており、後端縁１４２ｂに隣接している。
【０１４１】
上側突起部１６６と第２の上部のキャッチ部１５８の腕１６０との間隔は、それらが最も接近したポイントにおいて、腕１２４を含む上部のホック１２２の幅よりわずかに大きく設定されている。同様に、ベース部材１４２と同じ厚さがある下側突起部１６８は、ベース部材１４２の下端縁１４２ｄから垂直に突出しており、後端縁１４２ｂに隣接している。
【０１４２】
下側突起部１６８と第２の下部のキャッチ部１６２の腕１６４との間隔は、それらが最も接近したポイントにおいて、腕１２８を含む下部のホック１２６の幅よりわずかに大きく設定されている。
【０１４３】
環状部１７０の外周端１７２は、ベース部材１４２の後端縁１４２ｂに縦に付けられ、ベース部材１４２の正面部１４２ｅによってほぼ定義された平面が、環状部１７０を二分するように位置している。環状部１７０の内縁１７４は、スロット１７６を定義する。
【０１４４】
カップ１０３の1つから外側に延びる繊維片は、スロット１７６を貫通しており、折り重ねられ、縫われるか、そうでなければそれ自体に付けられており、それによって、ダブル磁石部１１０パスに付けられないまたそのために、折り重なられ、ブラジャー１０１の他のカップ１０３にシングル磁石部１４０を取付ける
ここで、図１０乃至図１３を参照して、シングル磁石部１４０をダブル磁石部１１０に固定するために、シングル磁石部１４０の正面部１４０ｅは、ダブル磁石部１１０の正面部１１０ｅと接触させられる。
【０１４５】
第１の固定位置で要素を固定するために、第３の磁石１４８の正面部１４８ａは、固定ユニットの反対側の端部で環状部１３０及び１７０と共に、第１の磁石１１８の正面部１１８ａと接触させられる。
【０１４６】
第１の上部キャッチ部１５０の腕１５２の端部は、上部ホック１２２の腕１２４の端部を完全に通過するであろう。上部のホック１２２の脚１２３は、第２の上部のキャッチ部１５８の脚１５９に対して接するだろう。
【０１４７】
同様に、第１の下部のキャッチ部１５４の腕１５６の端部は、下部のホック１２６の腕１２８の端部を完全に通過するであろう。また、下部のホック１２６の脚１２７は第２の下部キャッチ部１６２の脚１６３に対して接するだろう。第３の磁石１４８の正面部１４８ａが第１の磁石１１８の正面部１１８ａと接触する時に、磁石は正確に整列しないであろう。
【０１４８】
しかしながら、反対の磁力は磁石の正面部１４８ａと正面部１１８ａとを分極する。なお、この磁石は、第３の磁石１４８及び第１の磁石１１８を構造内に吸引する。
そうする際に、磁力はさらにホックとキャッチ部を係合させるであろう。
【０１４９】
第１の上部キャッチ部１５０の腕１５２の端部は、上部ホック１２２の脚１２３と接触させられるだろう。また、上部のホック１２２の腕１２４の端部は、第１の上部のキャッチ部１５０の脚１５１に接触するであろう。
【０１５０】
同様に、第１の下部キャッチ部１５４の腕１５６の端部は、下部ホック１２６の脚１２７と接触するであろう。また、下部ホック１２６の腕１２８の端部は、第１の下部のキャッチ部１５４の脚１５５に接触するであろう。
【０１５１】
重要なことには、第１の上部キャッチ部１５０の腕１５２は今、上部ホック１２２の腕１２４の下に位置していることであり、また、第１の下部キャッチ部１５４の腕１５６は下部のホック１２６の腕１２８の下に位置しているであろう。このポイントで、ダブル磁石部１１０とシングル磁石部１４０は、安定に固定される。
【０１５２】
ホックとキャッチ部の相対的な位置は、図１５でより明確になるであろう。破線は、磁石の正面が最初に接触する際の、ホックの位置を表わしている。実線は、磁力がマグネットを磁力により一直線に整列させ、ホックとキャッチを係合させた後の、ホックの位置を表している。
【０１５３】
上部ホック１２２の腕１２４に対して第１の上部キャッチ部１５０の腕１５２のポジショニング、下部ホック１２６の腕１２８に対しての第１の下部キャッチ部１５４の腕１５６のポジショニング、磁石の磁力吸引方向とは反対方向にファスナーの要素が移動又は突発的に解かれるのを防止する。
【０１５４】
上部ホック１２２、下部ホック１２６、第１の上部キャッチ部１５０及び第１の下部キャッチ部１５４は、取り付け環状部１３０及び１７０によって吸引された際に、要素が縦方向に移動するのを防止する。
【０１５５】
反対方向の突発的な解除は、磁石の磁力吸引方向が最初に克服される場合には、上部ホック１２２及び第２の上部キャッチ部１５８の脚、下部ホック１２６及び第２の下部キャッチ部１６２の脚の隣接部によって妨げられる。
【０１５６】
最後に、垂直方向への並進運動は、ベース部材１４２の上端縁１４２ｃに対する上部ホック１２２とベース部材１４２の下端縁１４２ｄに対する下部ホック１２６の隣接部によって妨げられる。
【０１５７】
ここで、図１４乃至図１７を参照するように、第２の固定位置でダブル磁石部１１０をシングル磁石部１４０に固定するために、第３の磁石１４８の正面部１４８ａは、固定ユニットの反対側の端部で取り付け環状部１３０及び１７０を用いて、第２の磁石１２０の正面部１２０ａと接触させられる。
【０１５８】
第２の上部キャッチ部１５８の腕１６０の端部は、上部のホック１２２の腕１２４の端部を完全に通過するであろう。上部ホック１２２の脚１２３は、上側突起部１６６に対して接触するであろう。
【０１５９】
同様に、第２の下部キャッチ部１６２の腕１６４の端部は、下部ホック１２６の腕１２８の端部を完全に通過するであろう。また、下部ホック１２６の脚１２７は、下側突起部１６８に対して接触するであろう。
【０１６０】
第３の磁石１４８の正面部１４８ａ及び第２の磁石１２０の正面部１２０ａ分極させる反対の磁力は、第３の磁石１４８及び第２の磁石１２０を引くだろう、その結果ホックとキャッチ部を係合させる。
【０１６１】
第２の上部のキャッチ部１５８の腕１６０の端部は、上部ホック１２２の脚１２３と接触させられるだろう。また、上部ホック１２２の腕１２４の端部は、第２の上部のキャッチ部１５８の脚１５９に接するだろう。
【０１６２】
同様に、第２の下部キャッチ部１６２の腕１６４の端部は、下部ホック１２６の脚１２７と接触させられるだろう。また、下部ホック１２６の腕１２８の端部は、第２の下部キャッチ部１６２の脚１６３に接するだろう。
【０１６３】
重要なことには、第２の上部キャッチ部１５８の腕１６０は、上部ホック１２２の腕１２４の下に位置しており、第２の下部キャッチ部１６２の腕１６４は下部のホック１２６の腕１２８の下に位置していることである。
【０１６４】
このポイントでは、ダブル磁石部１１０とシングル磁石部１４０は、第２の固定位置で安定に固定される。
【０１６５】
ダブル磁石部１１０及びシングル磁石部１４０が第２の固定位置に固定されるとき、本発明の第１の実施の形態のように、環状部１３０及び１７０は、互いに接近して、ブラジャー着用者の胸の谷間を強調する役目を果たす。
【０１６６】
ファスナー１０５がブラジャー１０１のカップ１０３の間で位置するので、着用者のアクセスが容易となり、それゆえに、シングル磁石部１４０及びダブル磁石部１１０の固定位置を変えることによって、簡易かつ容易に胸の谷間の見栄えを変えることができ、ゆとり度を調節することができる。
【０１６７】
以上、本発明について、好ましい実施形態の説明によって記述してきたが、本発明の思想から逸脱することなく種々の変更や修正が行なわれ得ることは、この技術に熟練している者には明白である。
【０１６８】
例えば、第１の実施形態の棒、第２の実施形態の磁石及び付属輪などの多くの要素の形状は、本発明を実質的に変更することなく修正され得る。また、ファスナーが成型される材質は、プラスチックに制限されるものではない。
【０１６９】
さらに、本発明のファスナーは、水着のような他の衣服に使用されてもよい。さらに、ファスナーは、２つを越えた固定位置を含み得る。これら及び他の理由により、開示され説明された実施形態は、単に実例なのであって、限定的なものではない。
【図面の簡単な説明】
【０１７０】
【図１】本発明の第１の実施の形態によってファスナーを使用するブラジャーの背面図である。
【図２】解かれた位置の第１の実施の形態によって構築された二部分のファスナーの斜視図である。
【図３】図２の二部分のファスナーの斜視図であるが、まだ固定されていない。
【図４】図３の４―４横断面図であり、また固定されていない。
【図５】固定され安定になった状態での図２のファスナーの斜視図である。
【図６】固定され安定になった状態での図２〜５のファスナーであり、図５の６―６の横断面図である。
【図７】固定され安定になった状態での、第１の実施の形態への図５のファスナーとしての柱及びバレルであり、図５の７−７の横断面図である。
【図８】固定され安定になった状態で図５のファスナーの正面図で、衣服の革ひもに付けられている。
【図９】本発明の第２の実施の形態に構築されたファスナーを使用するブラジャーの背面図である。
【図１０】解かれた状態で図９の中のファスナーの斜視図である。
【図１１】第１の位置で固定され安定になった図１０のファスナーの斜視図である。
【図１２】第１の位置で固定され安定になった第２の実施の形態によるファスナーであり、１第１図の１２−１２の横断面図である。
【図１３】固定され確保された位置で、２つの磁石、及び第２の実施の形態によるそれらのハウジングであり、図１１の１３−１３の横断面図である。
【図１４】第２の位置で固定され安定になった第２の実施の形態によるファスナーの斜視図である。
【図１５】固定され確保された位置で、ホック、及び第２の実施の形態によるファスナーのキャッチ部であり、図１４の１５―１５の横断面図である。
【図１６】第２の位置で固定され安定になった第２の実施の形態によるファスナーに、図１４の１６−１６の横断面図である。
【図１７】第２の位置で固定され安定になった第２の実施の形態によるファスナーの正面図である。
【図１８】後部革ひもに現在のファスナーを付けるブラジャーの背面図である。
【符号の説明】
【０１７１】
１  ブラジャー
３  カップ
５  ファスナー
１０  雄側要素
１８  ベース部材
３０  雌側要素
３２  ベース部材
３２ａ  先端縁
３２ｂ  後端縁
３２ｃ  上端縁
３２ｄ  下端縁
３２ｅ  正面部
２０，７２  環状部
２１，７３  外縁部
２２，７４  内縁部
１２  柱部  
１２ａ，１２ｃ  突起部
１２ｃ，１２ｄ  端部
１２ａ  上側突起部
１２ｂ  上端部
１２ｃ  下側突起部
１２ｄ  下端部
１４  プレート
１４ａ  先端縁
１４ｂ  後端縁
１４ｃ  上端縁
１４ｄ  下端縁
１６  棒
１６a  上部のセグメント
１６ｂ  下部のセグメント
１８  長方形のベース
１８ａ  先端縁
１８ｂ  後端縁
２１  外部の端
２２  内部の端
２４  スロット
３４，５４  バレル
３４  第１のバレル
５４  第２のバレル
３６  第１の閉シリンダ
３８  第１の開シリンダ
５６  第２の閉シリンダ
５８  第２の開シリンダ
【図１】
2008504074.tif 000003
【図２】
2008504074.tif 000004
【図３】
2008504074.tif 000005
【図４】
2008504074.tif 000006
【図５】
2008504074.tif 000007
【図６】
2008504074.tif 000008
【図７】
2008504074.tif 000009
【図８】
2008504074.tif 000010
【図９】
2008504074.tif 000011
【図１０】
2008504074.tif 000012
【図１１】
2008504074.tif 000013
【図１２】
2008504074.tif 000014
【図１３】
2008504074.tif 000015
【図１４】
2008504074.tif 000016
【図１５】
2008504074.tif 000017
【図１６】
2008504074.tif 000018
【図１７】
2008504074.tif 000019
【図１８】
2008504074.tif 000020
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
正面固定型ブラジャーに使用され、第１の部材と第２の部材を開放可能に接続する調整可能なファスナーであって、
円柱状の柱を有する第１の要素と、
前記第１の部材に前記第１の要素を取付ける第１のアタッチメント手段と、
前記柱は、前記柱よりも小さい対応高さ寸法を有するプレートの端に、少なくとも一部が固定され、
前記第１の要素に固定するために配置され、間を空けた複数のバレル形状部材を含む第２の要素と、
前記各バレル形状部材は、前記プレートの前記対応高さ寸法よりも大きな間隔で縦に分割された前記上部バレル部と下部バレル部とを含んでおり、
前記下部バレル部はそれぞれ、前記プレートの厚みに対応させるために構成される縦開口を有しており、
各前記バレル部は、外側に延びる突起部を有しており、
前記第２の部材に前記第２の要素を取付けるための第２のアタッチメント手段を有し、
前記円筒状の柱は、着用者が好むフィット感に応じて選択可能な前記バレル形状部材の一つに接続するために構成されており、
前記プレートは、前記下部バレル部の前記縦開口を通り、
前記プレート及び前記柱が、該柱の円柱軸周りに前記選択されたバレル形状部材に対して前記第２の要素側の第１の方向に回転するとき、前記プレートは、前記プレートの位置決めを補助するために、前記回転運動の少なくとも一部を覆う前記バレル形状部材の前記突起部に干渉しており、これにより、前記反対方向の回転運動に対して干渉抵抗力を得ていることを特徴とする調整可能なファスナー。
【請求項２】
前記プレートよりも高さ寸法が大きく、前記柱が固定される前記プレートの端に平行でかつ反対側の前記プレートの端に縦に固定される棒と、
各前記突起部は、各前記下部バレル部及び各前記上部バレル部の外壁部に配置され、
前記プレートの幅は、前記突起部が存在しない各前記上部バレル部及び各前記下部バレル部の壁の厚みよりもわずかに大きく、かつ、前記突起部が存在する各前記上部バレル部及び下部バレル部の壁の厚みよりもわずかに小さく、
前記突起部は、前記柱の円柱状の軸周りの前記棒の回動を、前記プレートが前記下部バレル部のうちの１つの前記縦開口に位置決めされる位置と、前記プレートが前記第２の要素に接触する位置との間で阻止することなしに、妨げることを特徴とする請求項１に記載の調整可能なファスナー。
【請求項３】
前記第１の要素は、前記バレル形状部材のそれぞれの前記上部バレル部及び前記下部バレル部の間の間隔よりも小さい高さを有する第１の要素ベースを有し、前記プレートが固定される前記棒の端の反対側の前記棒の端に縦に固定され、
前記第１のアタッチメント手段は、前記棒に固定される前記第１の要素ベースの端の反対側の前記第１の要素ベースの端に接続される第１の環状部を有しており、
前記第２のアタッチメント手段は、前記第１及び第２の要素が固定されるときに、前記第１の環状部から最も離れた位置に配置される第２の要素ベースの端に接続される第２の環状部を有していることを特徴とする請求項２に記載の調整可能なファスナー。
【請求項４】
第１の柱を備えた第１のプレートを有する第１の要素と、
前記プレートに接続され、第１のブラジャー部に適合させる接続手段と、
第２のプレート上で離間して配置される少なくとも二つのコネクタを有する第２の要素と、前記第２のプレートは、前記第１のプレートに開放可能に取り付けられ、前記少なくとも二つのコネクタはそれぞれ、管状の壁を有し、前記第１の柱を受け入れ、前記第１及び第２の要素間の回転運動を許容するための長穴を規定しており、
前記第１のブラジャー部の反対側の第２のブラジャー部に前記第２の要素を接続するために合わせられる接続方法と、
前記第１の柱が前記管状のコネクタ及び前記第１のプレートのうち一つに配置されるときに、前記第１の要素と前記第２の要素との間に相対干渉抵抗力を与え、前記第１のプレートは前記第２のプレートに平行な位置に回転され、それによってロック位置に前記第１のプレート位置決めするのを補助し、前記反対方向の回転力に干渉抵抗力を与える方法とを有することを特徴とするブラジャーの正面に使用される調整可能なファスナー。
【請求項５】
ブラジャーの第１の部分を前記ブラジャーの第２の部分に開放可能でかつ調節可能に取付けるための磁力調整可能なファスナーであって、
前記ブラジャーの前記第１の部分に取付けることができ、少なくとも一つの磁力吸引面を有する第１の磁力接続装置を有する第１の接続部材と、
前記ブラジャーの前記第２の部分に取り付けることができ、一つ以上の相対的な面対面の位置において前記第１の磁力接続装置に磁気的に引き付け可能な磁力面を有し、これによって前記第１及び第２のブラジャー部と前記第１及び第２の接続装置の選択的かつ調整可能な磁力取り付けを許容する、第２の接続部材と、
一つの脚部と他の脚部を有する機械的なL字状ロック装置と、
前記第２の接続装置の前記磁力面に対して上方に延びる一つの脚部と、
前記磁力面に平行である前記少なくとも一つの前記L字状ロック装置の他の脚部と
横方向外側に延び、前記第１及び第２の接続装置が磁力で引き合う関係に設置されたとき、前記少なくとも一つのL字状ロック装置によって係合させるために構成されて配置される前記第１の接続部材上の少なくとも一つの補足的ロック装置とを有することを特徴とする磁力調整可能なファスナー。
【請求項６】
前記第２の接続部材の前記第２の接続装置は、前記第１の接続部材の前記第１の磁力接続装置とは磁力が反対の少なくとも二つの間隙マグネットを有することを特徴とする請求項５に記載の磁力調整可能なファスナー。
【請求項７】
前記第１の接続装置は、前記第２の接続装置の前記マグネットとは反対の磁力の面を有する一つのマグネットを有することを特徴とする請求項６に記載の磁力調整可能なファスナー。
【請求項８】
前記第２の接続装置は、前記磁力面に対して外側に延びる二つの前記機械的なL字状のロック装置と、前記マグネットの一つの一端における一つの前記L字状のロック装置と、前記マグネットの反対側の端部における他の前記L字状のロック装置とを有することを
特徴とする請求項７に記載の磁力調整可能なファスナー。
【請求項９】
前記第１の磁力接続装置は、前記第１及び第２の接続装置が面対面で磁力的に引き合う位置にあるとき、前記第２の接続装置の前記二つのL字状ロック装置にそれぞれ係合するために、前記被戸角マグネットの各端部にそれぞれ配置される前記補足的なロック装置を二つ有することを特徴とする請求項８に記載の磁力調整可能なファスナー。
【請求項１０】
前記第１及び第２の接続装置の前記マグネットは、レアアースマグネットであることを特徴とする請求項９に記載の磁力調整可能なファスナー。
【請求項１１】
前記レアアースマグネットは、ネオジムであることを特徴とする請求項１０に記載の磁力調整可能なファスナー。
【請求項１２】
少なくとも前記L字状ロック装置の一組は、前記第２の接続装置に取り付けられ、
前記対応する補完的に対になるロック装置の少なくとも二組は、前記第１の接続装置に取付けられ、前記第１及び第２の接続装置が磁気的に引き合う位置に配置されるときに、前記第２の接続装置の前記L字状ロック装置とともに係合のために構成され配置されることを特徴とする請求項５に記載の磁力調整可能なファスナー。
【請求項１３】
前記第１の接続装置に取付けられる前記補完的に対になる二組のロック装置は、L字状ロック装置を、補完的な取り付けのために前記第２の接続装置の前記L字状ロック装置とは反対方向に向かわせることを特徴とする請求項１２に記載の磁力調整可能なファスナー。
【請求項１４】
前記第１及び第２の接続部材は、プラスチックからなることを特徴とする請求項１３に記載の磁力調整可能なファスナー。
【請求項１５】
前記第１及び第２のブラジャー部分は、ブラジャーの前側にあることを特徴とする請求項１４に記載の磁力調整可能なファスナー。
【請求項１６】
前記第１及び第２のブラジャー部分は、ブラジャーカップであることを特徴とする請求項１５に記載の磁力調整可能なファスナー。
【請求項１７】
前記第１及び第２のブラジャー部分は、ブラジャーの背面側にあることを特徴とする請求項５に記載の磁力調整可能なファスナー。
【請求項１８】
前記第１及び第２のブラジャー部分はそれぞれ、ブラジャーのカップに取り付けられるブラジャーストラップであることを特徴とする請求項１７に記載の磁力調整可能なファスナー。
【請求項１９】
前記第１及び第２のブラジャー部分はブラジャーのストラップであることを特徴とする請求項１８に記載の磁力調整可能なファスナー。
【請求項２０】
ブラジャー用の調整可能なファスナーは、ブラジャーの第１の部分に取付けるための方法を有する第１の接続部材と、
前記ブラジャーの反対側の第２の部分に取り付けるための方法を有する第２の接続部材と、
第１の極性を有する少なくとも一つの磁石を有し、前記第１の接続装置に取付けられる少なくとも第１の磁力接続装置と、
前記第２の接続部材に取付けられる少なく値も二つのマグネットを有し、これらのマグネットはそれぞれ隣接した一列に配置され、前記第１の接続装置の前記マグネットの前記第１の極性とは反対の極性を有しており、前記第１及び第２のブラジャー部分の選択的調整を許容する一つ以上の相対的な位置における前記第１の接続装置に磁気的に取付けられる少なくとも第２の磁力接続装置と、
前記第１及び第２の接続装置に取り付けられ、前記第１の部材への前記第２の部材の時期的な取り付けを完全に補完するために配置される機械的な固定方法と、前記固定方法は、前記第２の接続装置から直立する一般的な一組の機械的なL字状ロック装置と、それぞれ前記マグネットの一つの各端に配置され、前記第１の接続装置の外側に縦に延びて、前記第１及び第２の接続装置が第１の選択位置に磁気的に取付けられたときに、前記第１の接続装置の複数組の前記ロック装置のうち一つが、前記第２の接続装置の一組に係合し、
前記第１及び第２の接続装置が前記第２の選択位置に磁気的に取付けられるときに、前記第１の接続装置の複数組の前記ロック装置の残りが、前記第２の接続装置の前記一組のL字状ロック装置に係合することを特徴とするブラジャー用の調整可能なファスナー。
【請求項２１】
前記第１の接続装置は、第１の磁力面を有する第１の磁石を有し、
前記第２の接続装置は、一列に配置され、複数の間隙がある第２の磁石を有し、
前記第２の磁石はそれぞれ前記第１の磁石面とは反対の極性を有する磁石面を有することを特徴とする請求項５に記載の磁力調整可能なファスナー。
【請求項２２】
前記突起部は、前記バレル部の前記内側に縦開口部に接続されない、前記上部及び下部バレル部の弓形の外周面部の形状であることを特徴とする請求項１に記載の調整可能なファスナー。
【手続補正２】
【補正対象書類名】明細書
【補正対象項目名】００１１
【補正方法】変更
【補正の内容】
【００１１】
上記課題を解決するために、本願発明は、一つ目の観点として、正面固定型ブラジャーに使用され、第１の部材と第２の部材を開放可能に接続する調整可能なファスナーであって、円柱状の柱を有する第１の要素と、前記第１の部材に前記第１の要素を取付ける第１のアタッチメント手段と、前記柱は、前記柱よりも小さい対応高さ寸法を有するプレートの端に、少なくとも一部が固定され、前記第１の要素に固定するために配置され、間を空けた複数のバレル形状部材を含む第２の要素と、前記各バレル形状部材は、前記プレートの前記対応高さ寸法よりも大きな間隔で縦に分割された前記上部バレル部と下部バレル部とを含んでおり、前記下部バレル部はそれぞれ、前記プレートの厚みに対応させるために構成される縦開口を有しており、各前記バレル部は、外側に延びる突起部を有しており、前記第２の部材に前記第２の要素を取付けるための第２のアタッチメント手段を有し、前記円筒状の柱は、着用者が好むフィット感に応じて選択可能な前記バレル形状部材の一つに接続するために構成されており、前記プレートは、前記下部バレル部の前記縦開口を通り、前記プレート及び前記柱が、該柱の円柱軸周りに前記選択されたバレル形状部材に対して前記第２の要素側の第１の方向に回転するとき、前記プレートは、前記プレートの位置決めを補助するために、前記回転運動の少なくとも一部を覆う前記バレル形状部材の前記突起部に干渉しており、これにより、前記反対方向の回転運動に対して干渉抵抗力を得ていることを特徴とする。
【手続補正３】
【補正対象書類名】明細書
【補正対象項目名】００１２
【補正方法】変更
【補正の内容】
【００１２】
ここで、前記プレートよりも高さ寸法が大きく、前記柱が固定される前記プレートの端に平行でかつ反対側の前記プレートの端に縦に固定される棒と、各前記突起部は、各前記下部バレル部及び各前記上部バレル部の外壁部に配置され、前記プレートの幅は、前記突起部が存在しない各前記上部バレル部及び各前記下部バレル部の壁の厚みよりもわずかに大きく、かつ、前記突起部が存在する各前記上部バレル部及び下部バレル部の壁の厚みよりもわずかに小さく、前記突起部は、前記柱の円柱状の軸周りの前記棒の回動を、前記プレートが前記下部バレル部のうちの１つの前記縦開口に位置決めされる位置と、前記プレートが前記第２の要素に接触する位置との間で阻止することなしに、妨げるとよい。
【手続補正４】
【補正対象書類名】明細書
【補正対象項目名】００１３
【補正方法】変更
【補正の内容】
【００１３】
また、前記第１の要素は、前記バレル形状部材のそれぞれの前記上部バレル部及び前記下部バレル部の間の間隔よりも小さい高さを有する第１の要素ベースを有し、前記プレートが固定される前記棒の端の反対側の前記棒の端に縦に固定され、前記第１のアタッチメント手段は、前記棒に固定される前記第１の要素ベースの端の反対側の前記第１の要素ベースの端に接続される第１の環状部を有しており、前記第２のアタッチメント手段は、前記第１及び第２の要素が固定されるときに、前記第１の環状部から最も離れた位置に配置される第２の要素ベースの端に接続される第２の環状部を有するとよい。
【手続補正５】
【補正対象書類名】明細書
【補正対象項目名】００１４
【補正方法】変更
【補正の内容】
【００１４】
本願発明は、二つ目の観点として、第１の柱を備えた第１のプレートを有する第１の要素と、前記プレートに接続され、第１のブラジャー部に適合させる接続手段と、第２のプレート上で離間して配置される少なくとも二つのコネクタを有する第２の要素と、前記第２のプレートは、前記第１のプレートに開放可能に取り付けられ、前記少なくとも二つのコネクタはそれぞれ、管状の壁を有し、前記第１の柱を受け入れ、前記第１及び第２の要素間の回転運動を許容するための長穴を規定しており、前記第１のブラジャー部の反対側の第２のブラジャー部に前記第２の要素を接続するために合わせられる接続方法と、前記第１の柱が前記管状のコネクタ及び前記第１のプレートのうち一つに配置されるときに、前記第１の要素と前記第２の要素との間に相対干渉抵抗力を与え、前記第１のプレートは前記第２のプレートに平行な位置に回転され、それによってロック位置に前記第１のプレート位置決めするのを補助し、前記反対方向の回転力に干渉抵抗力を与える方法とを有することを特徴とするブラジャーの正面に使用される調整可能なファスナー。
【手続補正６】
【補正対象書類名】明細書
【補正対象項目名】００１５
【補正方法】変更
【補正の内容】
【００１５】
本願発明は、三つ目の観点として、ブラジャーの第１の部分を前記ブラジャーの第２の部分に開放可能でかつ調節可能に取付けるための磁力調整可能なファスナーであって、前記ブラジャーの前記第１の部分に取付けることができ、少なくとも一つの磁力吸引面を有する第１の磁力接続装置を有する第１の接続部材と、前記ブラジャーの前記第２の部分に取り付けることができ、一つ以上の相対的な面対面の位置において前記第１の磁力接続装置に磁気的に引き付け可能な磁力面を有し、これによって前記第１及び第２のブラジャー部と前記第１及び第２の接続装置の選択的かつ調整可能な磁力取り付けを許容する、第２の接続部材と、一つの脚部と他の脚部を有する機械的なL字状ロック装置と、前記第２の接続装置の前記磁力面に対して上方に延びる一つの脚部と、前記磁力面に平行である前記少なくとも一つの前記L字状ロック装置の他の脚部と横方向外側に延び、前記第１及び第２の接続装置が磁力で引き合う関係に設置されたとき、前記少なくとも一つのL字状ロック装置によって係合させるために構成されて配置される前記第１の接続部材上の少なくとも一つの補足的ロック装置とを有することを特徴とする。ここで、前記第２の接続部材の前記第２の接続装置は、前記第１の接続部材の前記第１の磁力接続装置とは磁力が反対の少なくとも二つの間隙マグネットを有することが好ましく、この第１の接続装置は、前記第２の接続装置の前記マグネットとは反対の磁力の面を有する一つのマグネットを有しており、この第２の接続装置は、前記磁力面に対して外側に延びる二つの前記機械的なL字状のロック装置と、前記マグネットの一つの一端における一つの前記L字状のロック装置と、前記マグネットの反対側の端部における他の前記L字状のロック装置とを有しており、この第１の磁力接続装置は、前記第１及び第２の接続装置が面対面で磁力的に引き合う位置にあるとき、前記第２の接続装置の前記二つのL字状ロック装置にそれぞれ係合するために、前記被戸角マグネットの各端部にそれぞれ配置される前記補足的なロック装置を二つ有しており、これらの第１及び第２の接続装置の前記マグネットは、レアアースマグネットであり、このレアアースマグネットは、ネオジムである。
【手続補正７】
【補正対象書類名】明細書
【補正対象項目名】００１６
【補正方法】変更
【補正の内容】
【００１６】
また、上記三つ目の観点の発明として、少なくとも前記L字状ロック装置の一組は、前記第２の接続装置に取り付けられ、前記対応する補完的に対になるロック装置の少なくとも二組は、前記第１の接続装置に取付けられ、前記第１及び第２の接続装置が磁気的に引き合う位置に配置されるときに、前記第２の接続装置の前記L字状ロック装置とともに係合のために構成され配置するとよく、前記第１の接続装置に取付けられる前記補完的に対になる二組のロック装置は、L字状ロック装置を、補完的な取り付けのために前記第２の接続装置の前記L字状ロック装置とは反対方向に向かわせており、前記第１及び第２の接続部材は、プラスチックからなり、前記第１及び第２のブラジャー部分は、ブラジャーの前側にあり、前記第１及び第２のブラジャー部分は、ブラジャーカップである。
【手続補正８】
【補正対象書類名】明細書
【補正対象項目名】００１７
【補正方法】変更
【補正の内容】
【００１７】
上記三つ目の観点の発明として、前記第１及び第２のブラジャー部分は、ブラジャーの背面側に配置して、前記第１及び第２のブラジャー部分はそれぞれ、ブラジャーのカップに取り付けられるブラジャーストラップで構成することができて、さらに、前記第１及び第２のブラジャー部分はブラジャーのストラップとすることができる。
【手続補正９】
【補正対象書類名】明細書
【補正対象項目名】００１８
【補正方法】変更
【補正の内容】
【００１８】
本願発明は、四つ目の観点として、ブラジャー用の調整可能なファスナーは、ブラジャーの第１の部分に取付けるための方法を有する第１の接続部材と、前記ブラジャーの反対側の第２の部分に取り付けるための方法を有する第２の接続部材と、第１の極性を有する少なくとも一つの磁石を有し、前記第１の接続装置に取付けられる少なくとも第１の磁力接続装置と、前記第２の接続部材に取付けられる少なく値も二つのマグネットを有し、これらのマグネットはそれぞれ隣接した一列に配置され、前記第１の接続装置の前記マグネットの前記第１の極性とは反対の極性を有しており、前記第１及び第２のブラジャー部分の選択的調整を許容する一つ以上の相対的な位置における前記第１の接続装置に磁気的に取付けられる少なくとも第２の磁力接続装置と、前記第１及び第２の接続装置に取り付けられ、前記第１の部材への前記第２の部材の時期的な取り付けを完全に補完するために配置される機械的な固定方法と、前記固定方法は、前記第２の接続装置から直立する一般的な一組の機械的なL字状ロック装置と、それぞれ前記マグネットの一つの各端に配置され、前記第１の接続装置の外側に縦に延びて、前記第１及び第２の接続装置が第１の選択位置に磁気的に取付けられたときに、前記第１の接続装置の複数組の前記ロック装置のうち一つが、前記第２の接続装置の一組に係合し、前記第１及び第２の接続装置が前記第２の選択位置に磁気的に取付けられるときに、前記第１の接続装置の複数組の前記ロック装置の残りが、前記第２の接続装置の前記一組のL字状ロック装置に係合することを特徴とするブラジャー用の調整可能なファスナーである。
【手続補正１０】
【補正対象書類名】明細書
【補正対象項目名】００１９
【補正方法】変更
【補正の内容】
【００１９】
ここで、上記三つ目の観点の発明において、前記第１の接続装置は、第１の磁力面を有する第１の磁石を有し、前記第２の接続装置は、一列に配置され、複数の間隙がある第２の磁石を有し、前記第２の磁石はそれぞれ前記第１の磁石面とは反対の極性を有する磁石面を設けるとよい。
【手続補正１１】
【補正対象書類名】明細書
【補正対象項目名】００２０
【補正方法】変更
【補正の内容】
【００２０】
ここで、上記一つ目の観点の発明において、前記突起部は、前記バレル部の前記内側に縦開口部に接続されない、前記上部及び下部バレル部の弓形の外周面部の形状にするとよい。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】図面
【補正対象項目名】図１０
【補正方法】変更
【補正の内容】
【図１０】
2008504074.tif 000021
【手続補正２６】
【補正対象書類名】図面
【補正対象項目名】図１１
【補正方法】変更
【補正の内容】
【図１１】
2008504074.tif 000022
【国際調査報告】
2008504074.tif 000023